【事件の表示】
　特許第３０１２５９２号「Ｗｅｂブラウザを利用した画像情報のデータベース管理方法及びシステム」の請求項１、５、６、９に係る特許に対する特許異議の申立てについて、次のとおり決定する。
【結　論】
　
　訂正を認める。
　本件特許異議の申立てを却下する。
【理　由】
　
１．手続の経緯
　
　特許第３０１２５９２号の請求項１、５、６、９についての出願は、平成１０年４月２４日に特許出願され、平成１１年１２月１０日にその特許権の設定登録がなされ、その後、渡部廣美より異議の申立てがなされ、取消しの理由が通知され、その指定期間内である平成１３年３月２１日に訂正請求がなされたものである。
　
２．訂正の適否についての判断
　
（１）訂正の内容
　請求項１、５、６、９を削除し、請求項２、３、４の内容をそれぞれ請求項１、２、３とし、また、請求項７、８の内容をそれぞれ請求項４、５とするものである。
　
（２）訂正の適否
　上記の訂正は、特許請求の範囲の減縮を目的とした明細書の訂正に該当し、新規事項の追加に該当せず、実質上特許請求の範囲を拡張し、又は変更するものではない。　
　したがって、上記訂正は特許法第１２０条の４第２項及び同条第３項で準用する第１２６条第２、第３項の規定に適合するので、当該訂正を認める。  　
３．特許異議の申立てについての判断
　
　請求項１、５、６および９に係る発明は訂正の結果削除され、特許異議の申立ての対象が存在しなくなったので、この特許異議の申立ては不適法なものとなった。そしてその補正はすることができないので、本件特許異議の申立ては、特許法第１２０条の６第１項で準用する第１３５条の規定によって却下すべきものである。
　よって、結論のとおり決定する。
【異議決定日】
平成１３年４月９日（２００１．４．９）
【訂正の要旨】
訂正の要旨
（ａ）訂正事項ａ
　特許請求の範囲の減縮を目的として、特許請求の範囲の請求項１、５、６および９を削除する。
（ｂ）訂正事項ｂ
　特許請求の範囲の明りょうでない記載の釈明を目的として、特許請求の範囲の「請求項２」を「請求項１」とし、その記載を「画像情報を格納するに際してＷｅｂサーバ側のデータベースの表定義のフィールドオプション情報として対応するフィールドが画像情報であるか否かの情報を設け、前記画像ファイルを、前記データベースとは別に、前記Ｗｅｂサーバ側の記憶装置に予め登録しておき、クライアントからのデータ検索要求に対して前記データベースを検索して取得されたデータベース情報を前記クライアントに返却するためのＨＴＭＬ（ＨｙｐｅｒＴｅｘｔ　ＭａｒｋｕｐＬａｎｇｕａｇｅ）文書を作成するに際して、前記フィールドオプション情報内の情報から、対応するフィールドが画像情報であるか否かを判定し、画像情報の場合には、前記記憶装置に登録されている前記画像ファイルを参照して、画像表示用のＨＴＭＬ文書を作成することで、前記クライアント側のＷｅｂブラウザにて前記画像情報を表示する、ようにしたことを特徴とする、Ｗｅｂブラウザを利用した画像情報のデータベース管理方法。」と訂正する。
（ｃ）訂正事項ｃ
　特許請求の範囲の明りょうでない記載の釈明を目的として「請求項３」を「請求項２」とし、その記載を「画像情報を格納するに際してＷｅｂサーバ側のデータベースの表の任意の列（フィールド）のフィールド名を当該フィールドが画像情報であることを表す特定の文字列にしておき、前記画像ファイルを、前記データベースとは別に、前記Ｗｅｂサーバ側の記憶装置に予め登録しておき、クライアントからのデータ検索要求に対して前記データベースを検索して取得されたデータベース情報を前記クライアントに返却するためのＨＴＭＬ（ＨｙｐｅｒＴｅｘｔ　Ｍａｒｋｕｐ　Ｌａｎｇｕａｇｅ）文書を作成するに際して、前記フィールド名から対応するフィールドが画像情報であるかを判断し、画像情報の場合には、前記記憶装置に登録されている前記画像ファイルを参照して、画像表示用のＨＴＭＬ文書を作成することで、前記クライアント側のＷｅｂブラウザにて前記画像情報を表示する、ようにしたことを特徴とする、Ｗｅｂブラウザを利用した画像情報のデータベース管理方法。」と訂正する。
（ｄ）訂正事項ｄ
　特許請求の範囲の明りょうでない記載の釈明を目的として、「請求項４」を「請求項３」とし、その記載を「画像情報を格納するに際してＷｅｂサーバ側のデータベースの表の任意の列（フィールド）に、静止画像ファイル、勤画ファイル、音声ファイル、マルチメディアファイルのうちの少なくとも一つである画像ファイルのファイル名をテキスト形式で格納するとともに、前記画像ファイルを、前記データベースとは別に、前記Ｗｅｂサーバ側の記憶装置に予め登録しておき、クライアントか　らのデータ検索要求に対して前記データベースを検索して取得されたデータベース情報を前記クライアントに返却するためのＨＴＭＬ（ＨｙＰｅｒＴｅｘｔ　Ｍａｒｋｕｐ　Ｌａｎｇｕａｇｅ）文書を作成するに際して、前記データベース情報がテキスト情報であるか画像情報であるかを判断し、画像情報の場合には、前記記憶装置に登録されている前記画像ファイルを参照して、画像表示用のＨＴＭＬ文書を作成することで、前記クライアント側のＷｅｂブラウザにて前記画像情報を表示する、ようにしたことを特徴とする、Ｗｅｂブラウザを利用した画像情報のデータベース管理方法。」と訂正する。
（ｅ）訂正事項ｅ
　特許請求の範囲の明りょうでない記載の釈明を目的として、「請求項７」を「請求項４」とし、その記載を「クライアントサーバ方式のデータベース管理システムにおいて、画像情報を格納するに際してＷｅｂサーバ機能を備えたサーバ側のデータベースの表定義のフィールドオプション情報として対応するフィールドが画像情報であるか否かの情報を設け、画像ファイルを、前記データベースとは別に、前記サーバ側の記憶装置に予め登録しておき、前記サーバは、クライアントからの要求を受付け解析する要求受付手段と、
前記クライアントからのデータ検索要求にしたがって前記データベースをアクセスするデータベースアクセス手段と、
前記データベースアクセス手段から返却されたデータベースの前記フィールドオプション情報内の情報から、対応するフィールドが画像情報であるか否かを判定する画像フィールド判定手段と、
画像情報でない場合には、テキスト表示用のＨＴＭＬ文書を作成する手段と、
画像情報である場合には、前記記憶装置から前記画像情報に対応する画像ファイルを参照して画像情報表示用のＨＴＭＬ文書を作成する手段と、
作成されたＨＴＭＬ文書を前記クライアントへ返却する手段と、
を備え、
前記クライアントのＷｅｂブラウザは、前記画像情報表示用ＨＴＭＬ文書から該画像情報を表示する、ことを特徴とするデータベース管理システム。」と訂正する。
（ｆ）訂正事項ｆ
　特許請求の範囲の明りょうでない記載の釈明を目的として、「請求項８」を「請求項５」とし、その記載を「クライアントサーバ方式のデータベース管理システムにおいて、画像情報を格納するに際してＷｅｂサーバ機能を備えたサーバ側のデータベースには、所定のフィールドに、静止画像ファイル、動画ファイル、音声ファイル、マルチメディアファイルのうちの少なくとも一つである画像ファイルのファイル名を格納しておくとともに、前記画像ファイルを、前記データベースとは別に、前記サーバ側の記憶装置に予め登録しておき、
前記サーバは、クライアントからの要求を受付け解析する要求受付手段と、
前記クライアントからのデータ検索要求にしたがって前記データベースをアクセスするデータベースアクセス手段と、
前記データベースアクセス手段から返却されたデータベース情報が、テキスト情報であるか画像情報であるかを判定する画像フィールド判定手段と、
テキスト情報である場合には、該テキスト表示用のＨＴＭＬ文書を作成する手段と、
画像情報である場合には、前記記憶装置から前記画像情報に対応する画像ファイルを参照して画像情報表示用のＨＴＭＬ文書を作成する手段と、
作成されたＨＴＭＬ文書を前記クライアントへ返却する手段と、
を備え、
前記クライアントのＷｅｂブラウザは、前記画像情報表示用ＨＴＭＬ文書から該画像情報を表示する、ことを特徴とするデータベース管理システム。」と訂正する。
（５４）【発明の名称】
Ｗｅｂブラウザを利用した画像情報のデータベース管理方法及びシステム
（５７）【特許請求の範囲】
　【請求項１】画像情報を格納するに際してＷｅｂサーバ側のデータベースの表
定義のフィールドオプション情報として対応するフィールドが画像情報であるか否かの情報を設け、
前記フィールドオプション情報内の情報から、対応するフィールドが画像情報であるか否かを判定し、
　【請求項２】画像情報を格納するに際してＷｅｂサーバ側のデータベースの表の任意の列（フィールド）
のフィールド名を当該フィールドが画像情報であることを表す特定の文字列にしておき、
前記フィールド名から対応するフィールドが
　【請求項３】画像情報を格納するに際してＷｅｂサーバ側のデータベースの表の任意の列（フィールド）に
、静止画像ファイル、動画ファイル、音声ファイル、マルチメディアファイルのうちの少なくとも一つである
　【請求項４】クライアントサーバ方式のデータベース管理システムにおいて、画像情報を格納するに際してＷｅｂサーバ機能を備えたサーバ側のデータベース
の表定義のフィールドオプション情報として対応するフィールドが画像情報であるか否かの情報を設け、
前記サーバは、クライアントからの要求を受付け解析する要求受付手段と、
前記クライアントからのデータ検索要求にしたがって前記データベースをアクセスするデータベースアクセス手段と、
前記データベースアクセス手段から返却されたデータベースの
前記フィールドオプション情報内の情報から、対応するフィールドが画像情報であるか否かを判定する
画像情報でない
、テ
画像情報である場合には、前記記憶装置から前記画像情報に対応する画像ファイルを参照して画像情報表示用のＨＴＭＬ文書を作成する手段と、
作成されたＨＴＭＬ文書を前記クライアントへ返却する手段と、
を備え、
前記クライアントのＷｅｂブラウザは、前記画像情報表示用ＨＴＭＬ文書から該画像情報を表示する、ことを特徴とするデータベース管理システム。
　【請求項５】クライアントサーバ方式のデータベース管理システムにおいて、
画像情報を格納するに際してＷｅｂサーバ機能を備えたサーバ側のデータベースには、所定のフィールドに
、静止画像ファイル、動画ファイル、音声ファイル、マルチメディアファイルのうちの少なくとも一つである画像ファイルの
前記
前記サーバは、クライアントからの要求を受付け解析する要求受付手段と、
前記クライアントからのデータ検索要求にしたがって前記データベースをアクセスするデータベースアクセス手段と、
前記データベースアクセス手段から返却されたデータベース情報が、テキスト情報であるか画像情報であるかを判定する画像フィールド判定手段と、
テキスト情報である場合には、該テキスト表示用のＨＴＭＬ文書を作成する手段と、
画像情報である場合には、前記記憶装置から前記画像情報に対応する画像ファイルを参照して画像情報表示用のＨＴＭＬ文書を作成する手段と、
作成されたＨＴＭＬ文書を前記クライアントへ返却する手段と、
を備え、
前記クライアントのＷｅｂブラウザは、前記画像情報表示用ＨＴＭＬ文書から該画像情報を表示する、ことを特徴とするデータベース管理システム。
【発明の詳細な説明】
　【０００１】
　【産業上の利用分野】本発明は、データ処理装置に関し、特に、データ検索時、データベースに格納された画像情報を画像情報列にそのまま画像表示可能としたデータベース管理システムに関する。
　【０００２】
　【従来の技術】従来、リレーショナルデータベース等のデータベースの各列に格納できる情報としては、図５に示すように、文字列と数値等のテキスト情報のみであった。したがって、画像情報をデータベース情報としてそのまま利用することができない。
　【０００３】このため、データベース情報を検索取得した後に、取得した情報と画像情報とを関連付けなければならない。
　【０００４】なお、テキスト情報、音声情報、画像情報を扱うコンピュータとして、例えば特開平９−２５１４０８号公報には、画像データの色数、大きさ、解像度、音声データの音質、レベル、ステレオ／モノラル、長さ等、データによってその内容が決まる属性情報を属性の内容に応じた、内容を直感させる図形等の表示形式で、ファイル名等に対応付けて表示するようにした方式が開示されている。しかしながら、この方式を、テキスト情
報のみを格納可能であり、画像情報を格納できないデータベースに適用することは出来ない。
　【０００５】
　【発明が解決しようとする課題】上記したように、従来のデータベース管理システムにおいては、文字列と数値等のテキスト情報のみであり、画像情報をデータベース情報としてそのまま利用することができない、という問題点を有している。このためデータベース検索結果の表示フィールドに画像情報をそのまま表示することはできなかった。
　【０００６】したがって、本発明は、上記問題点に鑑みてなされたものであって、その目的は、データベースに画像情報を格納し、検索する際、画像フィールドには画像を表示可能とするシステムを提供することにある。
　【０００７】
　【課題を解決するための手段】前記目的を達成するため、本発明は、画像情報を格納するに際してＷｅｂサーバ側のデータベースには、任意の列に画像ファイル名を格納しておくとともに、画像ファイルを、前記データベースとは別に、記憶装置に予め登録しておき、クライアントからのデータ検索要求に対して前記データベースを検索して取得されたデータベース情報を前記クライアントに返却するためのＨＴＭＬ（Ｈｙｐｅｒ　Ｔｅｘｔ　Ｍａｒｋｕｐ　Ｌａｎｇｕａｇｅ）文書を作成するに際して、前記データベース情報がテキスト情報であるか画像情報であるかを判断し、画像情報の場合には、前記記憶装置に登録されている前記画像ファイルを参照して、画像表示用のＨＴＭＬ文書を作成することで、前記クライアントのＷｅｂブラウザにて前記画像情報を表示するようにしたものである。
　【０００８】
　【発明の実施の形態】本発明の実施の形態について説明する。本発明は、リレーショナルデータベースの表等に画像情報用のフィールド（列）を設け、該列には画像ファイル名を格納し（図１の「Ａｐｐｌｅ．ｊｐｇ」、「Ｏｒａ．ｊｐｇ」等）、Ｗｅｂブラウザでデータベース情報を表示する際、通常のテキスト情報（文字列・数値）はそのまま表示し、画像フィールドの情報は、画像ファイル名をもとに、該当するフィールドにその画像自体を表示するよう
にしたものである。
　【０００９】本発明の実施の形態においては、検索要求に対するデータベースから検索結果の返却データに画像情報が含まれているため、従来方式のように、検索結果返却後に画像を組み合わせる作業を不要としている。
　【００１０】本発明の実施の形態について図面を参照して説明する。オペレーティングシステムに提供されているＷｅｂサーバのデータベースアクセス機能を利用してデータベース情報をＷｅｂブラウザ上に取得する場合を本発明を実施した例について説明する。
　【００１１】本発明は、クライアントがインターネットを介してＷｅｂサーバ機能を有するサーバ装置に接続するシステムにおいて、サーバ側のデータベース（５）には、画像情報を格納するに際して、任意の列に画像ファイル名を格納しておくとともに、画像ファイルを記憶装置（６）に予め登録しておき、Ｗｅｂサーバ機能を備えたサーバ側のデータ処理装置（４）は、クライアント（１）からのデータ検索要求にしたがってデータベースをアクセスする手段と、検索結果が画像情報であるか否かを判定した結果、画像情報である場合には、画像ファイルを参照して画像情報表示用ＨＴＭＬ文書を作成する手段と、を備え、クライアントのＷｅｂブラウザは、前記画像情報表示用ＨＴＭＬ文書から該画像情報を表示する。
　【００１２】取得したデータベース情報は、クライアントのＷｅｂブラウザに表示するため、Ｗｅｂブラウザが認識できるＨＴＭＬ（Ｈｙｐｅｒ　Ｔｅｘｔ　Ｍａｒｋｕｐ　Ｌａｎｇｕａｇｅ）言語で返却する。その際、従来方式では、データベースの情報すべて（文字列・数字）をそのまま表示できるようにＨＴＭＬ言語を作成して返却される。
　【００１３】本発明の実施の形態においては、データベース情報を返却するＨＴＭＬ言語を作成する際、データベース検索結果の返却情報が、通常の文字列・数値か、画像情報かを判断し、画像情報であれば画像表示を行う。ただし、画像情報としてデータベースへ格納される情報は画像ファイル名であるため、画像情報を表示する際には、あらかじめ画像ファイル（６）を登録しておく必要がある。
　【００１４】
　【実施例】上記した本発明の実施の形態について更に詳細に説明すべく、本発明の実施例について図面を参照して詳細に説明する。
　【００１５】図３は、本発明の一実施例の構成を示す図である。図３を参照すると、本発明の一実施例は、インターネットへ接続されているクライアント端末上のＷｅｂブラウザである入出力装置１（クライアントブラウザ１）と、インターネット回線２と、クライアントブラウザ１との通信制御をおこなうＷｅｂサーバ機能３と、Ｗｅｂサーバ機能３からＣＧＩ（Ｃｏｍｍｏｎ　Ｇａｔｅｗａｙ　Ｉｎｔｅｒｆａｃｅ；コモンゲートウェイインタフェース）起動されるデータ処理装置４と、データベース情報を格納するデータベース記憶装置５と、画像データを格納する画像ファイル記憶装置６と、を含む。
　【００１６】データ処理装置４は、クライアントから要求を受け付けるクライアント要求受付処理手段４１と、受け付けた要求をもとにデータベースにアクセスするデータベースアクセス処理手段４２と、受け取ったデータベースからの情報をフィールドごとに解析し、画像用の情報かどうかを判定する画像情報フィールド判定処理手段４３と、フィールドが画像情報でない場合のＨＴＭＬ言語を作成するＨＴＭＬ作成処理手段４４と、フィールド情報が画像情報である場合のＨＴＭＬ言語を作成する画像フィールドＨＴＭＬ作成処理手段４５と、作成したＨＴＭＬをクライアントブラウザへ返却するＨＴＭＬ返却処理手段４６と、を備えている。上記各手段は、データ処理装置４で実行されるプログラム制御によってその機能を実現することができる。
　【００１７】図４は、本発明の一実施例の処理フローの説明するための流れ図である。図４および図４を参照して本実施例の動作について詳細に説明する。
　【００１８】クライアントブラウザ１から、データベースアクセス要求がおこなわれる。データベースアクセス要求がおこなわれると、インターネット回線２を介して指定コンピュータのＷｅｂサーバ機能３と接続される。接続後、指定コンピュータ内のＷｅｂサーバ機能３によってデータ処理装置４がＣＧＩ起動される。
　【００１９】起動後、クライアントからのデータベースアクセス要求をクライアント要求受付処理手段４１が解析する。解析した結果をデータベースアクセス処理手段４２に渡す。データベースアクセス処理手段４２は、データベースに対して、要求どおりのアクセスを行う（ステップＡ１）。
　【００２０】データベースアクセス後、結果取得が正常に取得できたかどうかをデータベースアクセス処理手段４２で判定する（ステップＡ２）。データベースからの結果が正常に取得できなかった場合には、ステップＡ８でクライアントブラウザ１に結果取得不能のエラー通知をおこなう。
　【００２１】データベースからの結果が正常に取得できた場合、ステップＡ３において、取得したフィールドが画像情報用フィールドかどうかを調べる。画像情報用フィールドかどうかの判別は、データベースアクセス要求とともにクライアントブラウザ１から情報を受け取っておき、その情報と照合する。
　【００２２】その判別結果が、画像情報用フィールドでなければ、ＨＴＭＬ作成処理手段４４でテキスト表示用のＨＴＭＬを作成する（ステップＡ４）。画像情報用フィールドであれば画像フィールド用ＨＴＭＬ作成処理手段４５で画像表示用のＨＴＭＬを作成する（ステップＡ５）。
　【００２３】ＨＴＭＬ作成後、次のフィールドが存在するかどうかを画像情報判定処理手段４３で判定し（ステップＡ６）、次のフィールドが存在すれば、ステップＡ３に戻り処理を繰り返す。
　【００２４】すべてのフィールドのＨＴＭＬを作成したら、ＨＴＭＬを全てＨＴＭＬ返却処理手段４６によってクライアントブラウザ１へ送信する。
　【００２５】返却結果を受け取ったクライアントブラウザ１では、画像フィールドには、画像が表示され、通常のフィールド（文字列・数値）は、テキスト表示される。
　【００２６】次に、本発明の他の実施例について説明する。
　【００２７】図４を参照すると、前記第一の実施例では、画像情報用フィールドかどうかの判定は、クライアントブラウザ１からの情報でおこなっていた。本発明の第二の実施例としては、クライアントブラウザ１では、画像情報用フィールドかどうかを意識しないで画像表示を実現可能としている。
　【００２８】本発明の第二の実施例においては、フィールドが画像情報かどうかの情報を、データベースの表定義に持たせており、すなわち表定義のフィールドオプション情報として、画像情報を設置する。
　【００２９】データ処理装置４の画像フィールド判定処理手段４５では、このフィールドオプション情報内の画像情報を読み取り、画像情報かどうかを判定する。
　【００３０】また本発明の第三の実施例として、フィールドオプション情報として設置できない場合、フィールド名に画像情報であることを表す特定の文字列を使用し、データ処理装置で画像情報かどうかを判定する、構成としてもよい。
　【００３１】さらに本発明の第四の実施例として、前記第一の実施例では、静止画像ファイルのみを対象としていたが、画像ファイル以外に、動画ファイル、音声ファイル、その他マルチメディアファイルを対象とする構成としてもよい。
　【００３２】
　【発明の効果】以上説明したように、本発明によれば、文字列・数値等テキスト情報しか格納できないデータベースでも、データベース情報として画像を表示することを可能としており、データベース情報に視覚的な情報を組み込むことができ、利用範囲を拡大することができる、という効果を奏する。
【図面の簡単な説明】
　【図１】本発明の実施の形態を説明するための図である。
　【図２】本発明の実施の形態の構成を示す図である。
　【図３】本発明の一実施例の構成を示す図である。
　【図４】本発明の一実施例の処理フローを示す流れ図である。
　【図５】従来の方式を説明するための図である。
　【符号の説明】
　１　クライアントブラウザ
　２　インターネット
　３　Ｗｅｂサーバ
　４　データ処理装置
　５　データベース記憶装置
　４１　クライアント要求受付処理手段
　４２　データベースアクセス処理手段
　４３　画像フィールド判定手段
　４４　ＨＴＭＬ作成処理手段
　４５　画像フィールド用ＨＴＭＬ作成処理手段
　４６　ＨＴＭＬ返却処理手段